(57)【要約】【課題】収納サイズが変更される衣類収納器の提供。【解決手段】本体１１の前面板部１６は、起伏開閉可能である。右側面板部１７及び左側面板部１８に切込３４，３５が設けられている。背面板部１９に折曲部３８が形成されている。右側面板部１７、左側面板部１８及び背面板部１９は、所要時において折曲部３８を中心として回動し、折り曲げられる。切込３４，３５の自由な開拡を規制すべく、保持部材１２が設けられている。保持部材１２は、着脱容易である。右側面板部１７及び左側面板部１８は、開口４３，４４を有する。この開口４３，４４は、把手を構成する。右側面板部１７及び左側面板部１８は、縦方向に沿って折畳部３９，４０を備えている。【選択図】　図１
2004057351.tif 000002
【特許請求の範囲】
【請求項１】
上端部及び下端部が屈曲可能に形成された前面板部と、
前面板部の右端部及び左端部に屈曲可能に延設され、且つそれぞれの上端部及び下端部が屈曲可能に形成された右側面板部及び左側面板部と、
前面板部に対向するように右側面板部及び左側面板部に屈曲可能に延設され、且つ上端部及び下端部が屈曲可能に形成された背面板部と、
上記前面板部、右側面板部、左側面板部及び背面板部の各上端部がそれぞれ内側に折り曲げられることによって形成された上面板部、及び上記前面板部、右側面板部、左側面板部及び背面板部の各下端部がそれぞれ内側に折り曲げられることによって形成された下面板部とを備え、
上記前面板部は、前方に対して起伏開閉し得るように所定位置において折曲可能に形成され、
上記右側面板部、左側面板部及び背面板部が所要時において所定の回動中心を基準として前方又は後方へ回動するのを許容する回動機構が設けられている衣類収納器。
【請求項２】
上記回動機構は、
上記右側面板部及び左側面板部の、上記前面板部側の端縁から上記背面板部近傍まで切込形成された切込部と、
切込部の開拡を規制すると共に所要時に開拡を許容する固定部材と、
上記背面板部に設けられ、当該背面板部の折曲を許容すると共に上記回動中心を形成する折曲部とを有する請求項１記載の衣類収納器。
【請求項３】
上記固定部材は、
上記切込部の上方縁部及び下方縁部をそれぞれ所定の保持力で保持する保持部材からなる請求項２記載の衣類収納器。
【請求項４】
上記前面板部は、その中央において折曲可能に形成され、
上記回動中心は、上記背面板部の中央に形成されている請求項１ないし３のいずれかに記載の衣類収納器。
【請求項５】
上記右側面板部及び左側面板部は、
上記回動機構よりも下方に把手部を備えている請求項１ないし４のいずれかに記載の衣類収納器。
【請求項６】
上記右側面板部及び左側面板部は、縦方向に沿って折り畳まれるための折畳部が形成されている請求項１ないし５のいずれかに記載の衣類収納器。
【請求項７】
上記右側面板部の下端部及び上記左側面板部の下端部、又は上記前面板部の下端部及び上記背面板部の下端部に、紐部材を係止し得るアンカ部材と、アンカ部材に一端が係止された所定の紐部材とが設けられている請求項１ないし６のいずれかに記載の衣類収納器。
【請求項８】
上記下面板部の内側に補強板が嵌め込まれている請求項７記載の衣類収納器。
【発明の詳細な説明】
【０００１】
【発明の属する技術の分野】
この発明は、衣類を収納するための箱体、特にクリーニングサービスに利用される衣類収納器に関するものである。
【０００２】
【従来の技術及び発明が解決しようとする課題】
例えばクリーニングサービスの提供においては、サービスの提供を受ける者（顧客）がサービス提供店舗に出向き、店頭においてクリーニングの対象である衣類をサービス提供者との間で受け渡しするのが一般的であるが、顧客が店舗に出向くことなく、宅配により衣類の受け渡しを行うというシステムが採用される場合もある。
その場合、クリーニングされた衣類は、衣類収納器に収容され、当該衣類収納器と共に顧客に配送返却される。また、顧客は、当該衣類収納器を利用して再度別の衣類をサービス提供者に配送することができる。
【０００３】
ところで、このような衣類収納器は比較的外形寸法が大きく、一般に縦寸法、横寸法、高さ寸法がそれぞれ、５０ｃｍ、５０ｃｍ、１００ｃｍである。この寸法は、例えば背広スーツやコート等の外形寸法及び重量の大きい衣類であっても、確実に収容されるように設定されたものである。
しかしながら、クリーニングの対象となる衣類のなかには、セーター等の軽量でコンパクトなものもある。したがって、そのような衣類が収容されるために上記サイズの衣類収納器が採用されると、衣類収納器のスペース効率がきわめて悪いばかりでなく、何よりも必要以上に配送費用が高くなる。ちなみに、一般に宅配サービスにおいては、宅配される箱体の寸法（縦寸法、横寸法、高さ寸法の和）が１７００ｍｍを超えると、配送コストは３倍程度になる。
【０００４】
そこで、本発明の目的は、背広スーツやコート等の外形寸法及び重量の大きい衣類をも収容することができると共に、所要時には簡単にコンパクトに折り畳むことができる衣類収納器を提供することである。
【０００５】
【課題を解決するための手段】
（１）　上記目的を達成するため、本願に係る衣類収納器は、上端部及び下端部が屈曲可能に形成された前面板部と、前面板部の右端部及び左端部に屈曲可能に延設され、且つそれぞれの上端部及び下端部が屈曲可能に形成された右側面板部及び左側面板部と、前面板部に対向するように右側面板部及び左側面板部に屈曲可能に延設され、且つ上端部及び下端部が屈曲可能に形成された背面板部と、上記前面板部、右側面板部、左側面板部及び背面板部の各上端部がそれぞれ内側に折り曲げられることによって形成された上面板部、及び上記前面板部、右側面板部、左側面板部及び背面板部の各下端部がそれぞれ内側に折り曲げられることによって形成された下面板部とを備え、上記前面板部は、前方に対して起伏開閉し得るように所定位置において折曲可能に形成され、上記右側面板部、左側面板部及び背面板部が所要時において所定の回動中心を基準として前方又は後方へ回動するのを許容する回動機構が設けられていることを特徴とするものである。
【０００６】
この構成によれば、前面板部、右側面板部、左側面板部及び背面板部によって、断面が矩形に形成された角柱状の筒体が形成される。これら前面板部、右側面板部、左側面板部及び背面板部のそれぞれの上端部が上記筒体の内側に折り曲げられることによって、各上端部が協働して上記筒体の上面板部が構成される。また、これら前面板部、右側面板部、左側面板部及び背面板部のそれぞれの下端部が上記筒体の内側に折り曲げられることによって、各下端部が協働して上記筒体の下面板部が構成される。これにより、直方体状の衣類収納器が形成される。
【０００７】
上記前面板部は、所定位置を基準に折り曲げられ、前方に対して起立あるいは倒伏することによって開閉する。つまり、この前面板部が当該衣類収納器の扉を構成する。したがって、作業者は、この前面板部を開閉することによって、衣類収納器に対して衣類を簡単に収納し取り出すことができる。
また、回動機構によって、右側面板部、左側面板部及び背面板部が一体となって回動する。つまり、衣類収納器がいわゆる二つ折れ状態となることができる。したがって、上記前面板部が後方へ（背面板部側へ）折り曲げられ、且つ右側面板部、左側面板部及び背面板部が一体となって前方へ回動されることにより、前面板部と背面板部とが重なり合い、その結果、衣類収納器は、その高さ寸法が小さくなる。
【０００８】
（２）　上記回動機構は、上記右側面板部及び左側面板部の、上記前面板部側の端縁から上記背面板部近傍まで切込形成された切込部と、切込部の開拡を規制すると共に所要時に開拡を許容する固定部材と、上記背面板部に設けられ、当該背面板部の折曲を許容すると共に上記回動中心を形成する折曲部とを有して構成されることができる。
【０００９】
この構成では、回動機構によって、右側面板部、左側面板部及び背面板部が一体となって回動する際に、上記前面板部が後方へ（背面板部側へ）折り曲げられ、且つ右側面板部、左側面板部及び背面板部が一体となって前方へ回動されると、前面板部と背面板部とが重なり合うと共に、右側面板部の上記切込部の上側部分と下側部分とが重なり合い、さらに、左側面板部の上記切込部の上側部分と下側部分とが重なり合う。その結果、衣類収納器の高さ寸法は、上記切込部から上方部分の高さ寸法分だけ小さくなる。
しかも、上記切込部は、通常においては、固定部材によってその開拡が規制される。したがって、衣類収納器が通常の状態（二つ折れ状態でない状態）で使用されるときは、不用意に二つ折れ状態となることはない。
【００１０】
特に上記固定部材は、上記切込部の上方縁部及び下方縁部をそれぞれ所定の保持力で保持する保持部材により構成されていてもよい。
この構成であれば、衣類収納器が通常の状態で使用されるときは、保持部材が上記切込部に装着され、当該切込部の上方縁部及び下方縁部が所定の保持力で保持される。これにより、衣類収納器が不用意に二つ折れ状態となることはない。一方、衣類収容器が二つ折れ状態で使用されるときは、作業者がこの保持部材を上記保持力に抗して取り外すことにより、前述の要領で衣類収容器が二つ折れ状態とされる。
このように、作業者が保持部材を着脱することによって、衣類収納器は、簡単に、通常の状態（すなわち、大きいサイズ）で使用され、また、二つ折れ状態（すなわち、小さいサイズ）で使用される。
【００１１】
（３）　上記前面板部は、その中央において折曲可能に形成され、上記回動中心は、上記背面板部の中央に形成されているのが好ましい。
この構成では、上記前面板部、右側面板部、左側面板部等が回動する際の回動中心が背面板部の中央に形成されているから、衣類収納器が二つ折れ状態とされたときは、その高さ寸法が二分の一になり、きわめてコンパクトになる。
【００１２】
（４）　上記右側面板部及び左側面板部は、上記回動機構よりも下方に把手部を備えていてもよい。
この構成では、作業者が把手部に手を掛けることによって、衣類収納器を容易に持ち上げ、搬送することが可能となる。このとき、把手部が回動機構よりも下方に位置するから、作業者が衣類収納器を持ち上げたとしても、衣類収納器は、不用意に二つ折れ状態となることはない。
【００１３】
（５）　上記右側面板部及び左側面板部は、縦方向に沿って折り畳まれるための折畳部が形成されていてもよい。
この構成では、次のようにして、衣類収納器を折り畳むことができる。
【００１４】
背面板部に対して右側面板部及び左側面板部は屈曲することができ、しかも、これら右側面板部、左側面板部及び背面板部の各上端部は、それぞれ当該右側面板部、左側面板部及び背面板部に対して屈曲することができる。したがって、まず、衣類収納器の上面板部、下面板部を構成している前面板部、右側面板部、左側面板部及び背面板部のそれぞれの上端部及び下端部を延ばす。そして、上記回動機構により、衣類収納器を二つ折れ状態に回動させると共に、右側面板部及び左側面板部を屈曲させて背面板部に重ねる。このとき、再び右側面板部、左側面板部及び背面板部のそれぞれの上端部を屈曲させ、当該右側面板部、左側面板部及び背面板部に重ねる。
【００１５】
次に、前面板部を折り曲げて、前面板部同士を重ねる。このとき、前面板部の上端部及び下端部は、当該前面板部と重ねる。
さらに、右側面板部及び左側面板部に形成された折畳部によって、右側面板部及び左側面板部を縦方向に沿って内側に折り畳む。このとき、予め右側面板部及び左側面板部の下端部を屈曲させて当該右側面板部及び左側面板部に重ねると共に、上記前面板部及び背面板部の下端部をそれぞれ屈曲させて当該前面板部及び背面板部に重ねておく。
これにより、直方体状に形成されていた衣類収納器は平板状に折り畳まれ、きわめてコンパクトに変形される。
【００１６】
（６）　上記右側面板部の下端部及び上記左側面板部の下端部、又は上記前面板部の下端部及び上記背面板部の下端部に、紐部材を係止し得るアンカ部材と、アンカ部材に一端が係止された所定の紐部材とが設けられていてもよい。
この構成では、上記前面板部、右側面板部、左側面板部及び背面板部のそれぞれの下端部が下面板部を構成するが、上記アンカ部材に上記紐部材が架け回されることにより、上記各下端部が保持・固定される。つまり、従来のように、例えばガムテープ等を用いて上記各下端部が固定されるのではなく、紐部材が架けられることによって、簡単に上記下面板部が構成される。
【００１７】
また、上記下面板部の内側に補強板が嵌め込まれていてもよい。
この構成では、補強板により、上記下面板部の剛性が向上する。したがって、下面板部が従来のようにガムテープ等で固定されていなくても、十分な強度が確保される。
【００１８】
【発明の実施の形態】
以下、適宜図面が参照されつつ、好ましい実施形態に基づいて本発明が詳細に説明される。
【００１９】
図１は、本発明の一実施形態に係る衣類収納器１０の斜視図である。
この衣類収納器１０は、例えば、クリーニングサービスの提供に利用される。具体的には、クリーニングサービスが提供される際に、サービス提供者（クリーニング業者）がクリーニングされた衣類を顧客に対して宅配により梱包返却する際に使用されるものである。また、この衣類収納器１０は、当該顧客が再びクリーニングサービスの提供を受けるべく、クリーニングされるべき衣類を梱包してサービス提供者に配送する際にも使用される。
【００２０】
衣類収納器１０は、本実施形態では主として段ボールにより構成されており、図１が示すように直方体状に形成されている。衣類収納器１０の縦寸法、横寸法及び高さ寸法は、本実施形態では、５０ｃｍ、５０ｃｍ及び１００ｃｍに設定されている。なお、衣類収納器１０の材質は、段ボールに限定されるものではなく薄肉の樹脂板等が採用されてもよいし、衣類収納器１０の寸法が上記各寸法に限定されるものでないことは、勿論である。
【００２１】
衣類収納器１０は、上記段ボールにより構成された本体１１と、一対の保持部材１２（固定部材）と、上面保持具１３と、下面保持具１４と、ハンガー部材１５とを備えている。本実施形態の特徴とするところは、衣類収納器１０の前面が所要時に開放されるようになっている点、衣類収納器１０の高さ寸法が所要時に半分にされ、衣類収納器１０がコンパクトに形成される点、及び衣類が収容されないときは、衣類収納器１０がきわめてコンパクトに折り畳まれる点である。以下、各部の構造がさらに詳述される。
【００２２】
図２は、本体１１の斜視図であり、本体１１の構造が図示されている。また、図３は、本体１１の展開図である。
前述のように本体１１は段ボールにより構成されており、この段ボールは、図３が示す形状に裁断され、これが組み立てられることによって本体１１が形成される。
【００２３】
図２が示すように、本体１１は、前面板部１６と、前面板部１６の向かって右側に配置された右側面板部１７と、前面板部１６の向かって左側に配置された左側面板部１８と、前面板部１６に対向配置された背面板部１９とを備えている。ただし、本体１１は、図３が示すように、１枚の板状に形成された部材２０（以下、「原部材２０」と称される。）から構成される。したがって、原部材２０では、左側から順に、左側面板部１８、前面板部１６、右側面板部１７及び背面板部１９が配置される。これらは、すべて長方形状に形成されており、左側面板部１８と前面板部１６との境界部、前面板部１６と右側面板部１７との境界部及び右側面板部１７と背面板部１９との境界部は、すべて屈曲可能に形成されている。
なお、背面板部１９の右端には、連結代２１が形成されている。上記各境界部が屈曲されることにより、背面板部１９の右端は左側面板部１８の左端と直交する。このとき、上記連結代２１が左側面板部１８に固着されることにより、角筒状の本体１１が形成される。
【００２４】
前面板部１６、右側面板部１７、左側面板部１８及び背面板部１９のそれぞれの上端部２２〜２５は、当該前面板部１６、右側面板部１７、左側面板部１８及び背面板部１９に対して屈曲可能に形成されている。また、前面板部１６、右側面板部１７、左側面板部１８及び背面板部１９のそれぞれの下端部２６〜２９は、当該前面板部１６、右側面板部１７、左側面板部１８及び背面板部１９に対して屈曲可能に形成されている。したがって、これら上端部２２〜２５は、内側に屈曲されることによって（図２参照）、本体１１の上面板部３０を構成し（図１参照）、下端部２６〜２９は、内側に屈曲されることによって本体１１の下面板部３１を構成する。
【００２５】
図３が示すように、前面板部１６と右側面板部１７との境界部、及び前面板部１６と左側面板部１８との境界部に、切込３２，３３が形成されている。この切込３２，３３は、前面板部１６の上端から中央まで延びている。
さらに、切込３２，３３に連続して、右側面板部１７及び左側面板部１８に、切込３４，３５（切込部）が形成されている。切込３４は、右側面板部１７と背面板部１９との境界部の近傍まで形成されている。つまり、切込３４は、前面板部１６側の端縁から当該境界部近傍まで形成されている（図２参照）。
切込３５は、左側面板部１８の縁部（すなわち、左側面部１８と背面板部１９との境界部の近傍）まで形成されている。つまり、切込３５は、前面板部１６側の端縁から当該境界部近傍まで形成されている。
なお、上記上端部２４と上端部２５との境界部、及び上記下端部２６〜２９同士の境界部に、それぞれ切込３６が形成されている。
【００２６】
また、前面板部１６に、上記切込３４，３５に連続するように折曲部３７が形成されている。この折曲部３７が形成されることにより、前面板部１６は、折曲部３７の位置で折り曲げられるようになっている。
背面板部１９にも折曲部３８が形成されている。この折曲部３８は、上記切込３４を延設するように設けられている。これにより、背面板部１９は、折曲部３８の位置で折り曲げられるようになっている。
【００２７】
さらに、右側面板部１７及び左側面板部１８に、折畳部３９，４０が形成されている。これら折畳部３９，４０は、それぞれ、上記切込３４，３５に連続し、且つ右側面板部１７及び左側面板部１８の中央を下方に沿って延びるように設けられている。
この折畳部３９，４０が設けられることにより、右側面板部１７は折畳部３９の位置において、縦方向に屈曲することができ、左側面板部１８は折畳部４０の位置において、縦方向に屈曲することができるようになっている。
【００２８】
このように、上記切込３４，３５が形成され、且つ上記折曲部３７が形成されることにより、図２が示すように、角筒状の本体１１において、前面板部１６が中央の位置を基準として回動することができる。つまり、前面板部１６が前方に対して起伏開閉することができる。
また、折曲部３８が形成されることにより、背面板部１９、右側面板部１７及び左側面板部１８が一体となって、折曲部３８を基準に回動することができる。すなわち、上記切込３４，３５、折曲部３８及び上記保持部材１２によって、背面板部１９、左側面板部１７及び右側面板部１８が一体となって所要時に回動するための回動機構４１が構成されている（図１参照）。なお、保持部材１２については、後に詳述される。
【００２９】
ここで、本実施形態では、原部材２０の外形寸法は、縦寸法Ａが１５０ｍｍ（ａ１＝１００ｍｍ、ａ２＝５０ｍｍ）、横寸法Ｂが２００ｍｍ（ｂ＝５０ｍｍ）に設定されている。もっとも、前述のように、これら各寸法は、適宜設計変更が可能なものである。
また、図２が示すように、右側面板部１７の中央部上方に（右側面板部１７の上端部２３との境界部分を含むように）、開口４１が設けられている。また、左側面板部１８の中央部上方に（左側面板部１８の上端部２４との境界部分を含むように）、開口４２が設けられている。これら開口４１，４２は、上記ハンガー部材１５を取り付けるための取付部を構成する。
さらに、右側面板部１７の中央部下方に（上記切込３４の下側に）開口４３が設けられ、また、左側面板部１８の中央部下方に（上記切込３５の下側に）、開口４４が設けられている。これら開口４３，４４は、作業者が当該衣類収納器１０を搬送する際に手を掛けるための把手部を構成している。
【００３０】
次に、上面保持具１３は、一対のアンカー部材４５と、紐４６とを備えている。各アンカー部材４５は円形に形成されており、例えば段ボール、樹脂、厚紙等により構成される。各アンカー部材４５の形状は、円形に限定されるものではなく、他の形状に適宜設計変更され得るものであることは勿論である。
各アンカー部材４５は、金属製のピン等を用いて前面板部１６の上端部２２及び背面板部１９の上端部２５に取り付けられている。そして、紐４６は、背面板部１９の上端部２５側のアンカー部材４５に連結されている。もっとも、この紐４８は、背面板１９の下端部２９側のアンカー部材４７に連結されていてもよいことは勿論である。
【００３１】
これにより、衣類収納器１０が組み立てられた際に、上記上端部２２と上端部２５とが突き合わせ状態となるが（図１参照）、このときに、上記紐４６を一対のアンカー部材４５に掛け回すことによって、上端部２２と上端部２５との突き合わせ状態が維持され、上面板部３０の閉じ状態が保持される。
また、上記紐４６をアンカー部材４５から取り外すことによって、簡単に上面板部３０を開放することができる。
なお、本実施形態では、上記アンカー部材４５は、前面板部１６の上端部２２及び背面板部１９の上端部２５に取り付けられているが、右側面板部１７の上端部２３と左側面板部１８の上端部２４に取り付けられていてもよい。
【００３２】
同様に、下面保持具１４も、一対のアンカー部材４７と、紐４８とを備えている。これらアンカー部材４７及び紐４８は、上記上面保持具１３の各アンカー部材４５及び紐４６と同様の構成である。
各アンカー部材４７は、金属製のピン等を用いて前面板部１６の下端部２６及び背面板部１９の下端部２９に取り付けられている。そして、紐４８は、前面板部１６の下端部２６側のアンカー部材４７に連結されている。もっとも、この紐４８は、背面板１９の下端部２９側のアンカー部材４７に連結されていてもよいことは勿論である。
【００３３】
同様に、衣類収納器１０が組み立てられた際に、上記下端部２６と下端部２９とが突き合わせ状態となるが、このときに、上記紐４８を一対のアンカー部材４７に掛け回すことによって、下端部２６と下端部２９との突き合わせ状態が維持され、下面板部３１の閉じ状態が保持される。
また、上記紐４８をアンカー部材４７から取り外すことによって、簡単に下面板部３１を開放することができる。
【００３４】
なお、本実施形態では、上記アンカー部材４７は、前面板部１６の下端部２６及び背面板部１９の下端部２９に取り付けられているが、右側面板部１７の下端部２７と左側面板部１８の下端部２８に取り付けられていてもよい。
また、アンカー部材４７は、下面板部３１の外側に配置されているが、これに限定されるものではなく、アンカー部材４７は、下面板部３１の内側に配置されていてもよい。
【００３５】
加えて、図１及び図２では図示されていないが、上記下面板部３１の内側に補強板が設けられていてもよい。この補強板は、たとえば、下面板部３１の内側にぴったりと嵌め込まれるような矩形に形成されるのが好ましい。補強板は、下面板部３１に固着されている必要はなく、単に載置されているだけの構成で十分である。
【００３６】
図４は、保持部材１２の斜視図である。
保持部材１２は、本実施形態では樹脂により構成されている。もっとも、保持部材１２の材質は、樹脂に限定されるものではなく、金属、段ボール、厚紙等が採用されてもよい。
【００３７】
同図が示すように、保持部材１２は、断面がＨ形形状を呈している。すなわち、保持部材１２は、一対の挟持板４９，５０と、これらを連結する連結板５１とを備えている。連結板５１は、一対の挟持板４９，５０の中央に配置されており、これにより、上挟持部５２及び下挟持部５３が形成されている。なお、連結板５１は、一対の挟持板４９，５０の中央に設けられているのが好ましいが、これに限定されるものではない。
上挟持部５２及び下挟持部５３の幅寸法ｃは、本体１１を構成する段ボールの厚み寸法に対応されている。具体的には、幅寸法ｃは、当該段ボールの厚み寸法よりも若干小さく設定されている。また、上挟持部５２及び下挟持部５３の深さ寸法は、本実施形態では、３０ｍｍ〜１００ｍｍ程度に設定されるが、これに限定されるものではなく、適宜設計変更が施されるものである。
【００３８】
この保持部材１２は、図１が示すように右側面板部１７及び左側面板部１８に設置されており、上記切込３４，３５が形成された部分にそれぞれ嵌め込まれている。
具体的には、右側側面部１７に設置されている保持部材１２では、本体１１の切込３４の上方縁部が上挟持部５２に嵌め込まれ、本体１１の切込３４の下方縁部が下挟持部５３に嵌め込まれている。
一方、左側面部１８に設置されている保持部材１２では、本体１１の切込３５の上方縁部が上挟持部５２に嵌め込まれ、本体１１の切込３５の下方縁部が下挟持部５３に嵌め込まれている。
【００３９】
前述のように、保持部材１２の幅寸法ｃは、本体１１を構成する段ボールの厚み寸法よりも若干小さく設定されているから、上記切込３４，３５の各上方縁部が上挟持部５２に嵌め込まれ、また、各下方縁部が下挟持部５３に嵌め込まれた状態では、各上方縁部及び下方縁部は、それぞれ上挟持部５２及び下挟持部５３に挟持され、一定の保持力で保持されることになる。
したがって、保持部材１２が装着されたときは、切込３４，３５が自由に開拡することが規制される。また、上記保持力に抗して保持部材１２が取り外されたときは、切込３４，３５は自由に開拡することができるから、背面板部１９に設けられた折曲部３８を中心にして、右側面板部１７、左側面板部１８及び背面板部１９が一体となって回動することができる。
【００４０】
図５は、ハンガー部材１５の正面図である。
このハンガー部材１５は、衣類収納器に一般的に用いられているもので、上着等が掛けられるためのいわゆるハンガーがつり下げられるための部材である。本実施形態では、このハンガー部材１５は、既知の構造である。
すなわち、ハンガー部材１５は、本体５４と、区画部材５５とを有し、これらは樹脂等により構成されている。本体５４は、筒状に形成されており、その両端部５６は、略コ字状に形成されている。また、区画部材５５は、櫛状に形成されており、複数のハンガーがつり下げられたときに、各ハンガー同士の接触が回避されている。
上記本体５４の端部５６は、右側面板部１７及び左側面板部１８に取り付けられている。具体的には、各端部５６は、図１が示すように、右側面板部１７及び左側面板部１８に設けられた開口４１，４２に挿通され、当該開口４１，４２の縁部を覆うように取り付けられている。
【００４１】
本実施形態に係る衣類収納器１０は、次のようにして使用される。
まず、前面板部１６は、折曲部３７を基準に折り曲げられ、前方に対して起立あるいは倒伏することによって開閉する。つまり、この前面板部１６が衣類収納器１０の扉を構成する。したがって、作業者は、この前面板部１６を開閉することによって、衣類収納器１０に対して衣類を簡単に収納し取り出すことができる。
【００４２】
また、前述の回動機構によって、背面板部１９に設けられた折曲部３８を回動中心として、右側面板部１７、左側面板部１８及び背面板部１９が一体となって回動することができる。つまり、衣類収納器１０がいわゆる二つ折れ状態となることができる。
図６は、衣類収納器１０が二つ折れ状態とされるときの作業要領を模式的に示した図である。
【００４３】
具体的には、作業者は、まず、同図（ａ）が示すように、前面板部１６を後方へ（背面板部１９側へ）折り曲げ、その上端部２２を背面板部１９の内側に沿わせる。次に、作業者は、右側面板部１７、左側面板部１８及び背面板部１９を一体として、折曲部３８を回動中心として前方へ回動させる。これにより、前面板部１６の上に背面板部１９が重なると共に、右側面板部１７の上部が当該右側面板部１７の下部と重なり、左側面板部１８の上部が当該左側面板部１８の下部と重なる。
その結果、衣類収納器１０は、その高さ寸法が小さくなる。なお、このとき、ハンガー１５は、取り外され、衣類収納器１０の内部に収容されている。
【００４４】
このように、本実施形態に係る衣類収納器１０では、必要なときに衣類収納器１０の高さ寸法が小さくされるので、コート等の大きな衣類が収容される場合には、図６（ａ）が示すような大きなサイズで使用され、また、セータ等のコンパクトな衣類が収容される場合には、同図（ｂ）が示すような小さなサイズで使用される。
したがって、たとえば、クリーニングサービスにおいて、クリーニングされた衣類を顧客に返却する際に、その衣類の大きさに応じて衣類収納器１０のサイズを変更することができ、コンパクトな衣類は、安価に宅配される。このことはまた、顧客がこの衣類収納器１０を使用して再度クリーニングサービスを受けるべき衣類を搬送する場合も同様であり、顧客は、コンパクトな衣類を安価にクリーニング業者に配送することができる。
【００４５】
また、本実施形態では、サービス提供者又は顧客が、衣類収納器１０を大きなサイズ（５０×５０×１００）で使用したいときは、上記保持部材１２によって、上記切込３４，３５の開拡が規制される。つまり、衣類収納器１０が上記二つ折れ状態となることが規制される。
したがって、衣類収納器１０が大きなサイズで使用されるときは、不用意に二つ折れ状態となることはなく、使用者は、所望のサイズで衣類収納器１０を良好に使用することができる。
【００４６】
特に、上記保持部材１２は、本体１１の切込３４，３５の上方縁部及び下方縁部をそれぞれ挟み込んで保持するものであるから、保持部材１２の着脱がきわめて容易である。これにより、必要なときに、衣類収容器１０が簡単に二つ折れ状態とされるので、衣類収納器１０の使い勝手がきわめて良い。
【００４７】
しかも、前面板部１６はその中央に折曲部３７を有し、また、背面板部１９もその中央に折曲部３８を有し、これを回動中心として右側面板部１７、左側面板部１８及び背面板部１９が回動する。これにより、衣類収納器１０は、そのサイズが５０ｍｍ×５０ｍｍ×５０ｍｍとなり、きわめてコンパクトになる。
【００４８】
さらに、右側面板部１７及び左側面板部１８に開口４３，４４が設けられており、これらは、衣類収納器１０の把手部を構成する。
これにより、作業者が開口４３，４４に手を掛けることによって、衣類収納器１０を容易に持ち上げ、搬送することが可能となる。
このとき、開口４３，４４が上記回動機構、すなわち、上記切込３４，３５よりも下方に位置するから、作業者が衣類収納器１０を持ち上げたとしても、それによって上記保持部材１２が脱落することはなく、衣類収納器１０は、不用意に二つ折れ状態になることはないという利点がある。
【００４９】
本実施形態では、右側面板部１７及び左側面板部１８に上記折畳部３９，４０が形成されている。この折畳部３９，４０によって、衣類収納器１０は、次のようにしてコンパクトに折り畳まれる。
【００５０】
この衣類収納器１０では、背面板部１９に対して右側面板部１７及び左側面板部１８は屈曲することができる。また、これら右側面板部１７、左側面板部１８及び背面板部１９の各上端部２２〜２５及び各下端部２６〜２９は、それぞれ当該右側面板部１７、左側面板部１８及び背面板部１９に対して屈曲することができる。
作業者はまず、上記ハンガー１５及び保持部材１２を取り外し、衣類収納器１０の上面板部３０、下面板部３１を構成している上記上端部２２〜２５及び下端部２６〜２９をまっすぐに延ばす。この作業は、上記上面保持具１３の紐４６を解くことにより、簡単に行われる。
そして、上記回動機構により、前述の要領にしたがって、衣類収納器１０を後方へ二つ折れ状態となるように回動させる。さらに、右側面板部１７及び左側面板部１８を屈曲させて背面板部１９に重ねる。このとき、右側面板部１７、左側面板部１８及び背面板部１９のそれぞれの上端部２２〜２５を屈曲させ、当該右側面板部１７、左側面板部１８及び背面板部１９に重ねる。また、前面板部１６の上端部２２を屈曲させて、当該前面板部１６に重ねておく。
【００５１】
次に、作業者は、前面板部１６を折曲部３７の位置で折り曲げて、前面板部１６同士を重ねる。このとき、下面保持具１４の紐４８を解いて、前面板部１６の下端部２６を当該前面板部１６に重ねる。
さらに、作業者は、右側面板部１７及び左側面板部１８の下端部２７，２８を屈曲させて当該右側面板部１７及び左側面板部１８に重ねると共に、上記背面板部１９の下端部２９を屈曲させて当該背面板部１９に重ねる。そして、右側面板部１７及び左側面板部１８に形成された折畳部３９，４０によって、右側面板部１７及び左側面板部１８を縦方向に沿って内側に折り畳む。
これにより、直方体状に形成されていた衣類収納器１０は平板状に折り畳まれ、きわめてコンパクトに変形される。
【００５２】
このように、衣類収納器１０がきわめてコンパクトに折り畳まれるから、例えば、クリーニングサービスにおいて、顧客が衣類収納器１０を自宅等で保管する際に、保管のための大きなスペースが不要であるという利点がある。
【００５３】
また、本実施形態に係る衣類収納器１０では、上記上面板部３０及び下面板部３１は、それぞれ上面保持具１３及び下面保持具１４によって保持・形成されている。したがって、従来のように、例えばガムテープ等を用いて上面板部３０及び下面板部３１が形成されるものではないので、簡単に上面板部３０及び下面板部３１が構成される。
しかも、ガムテープ等を用いて上面板部３０及び下面板部３１が形成された場合は、ガムテープを外す作業は煩わしいものであるが、本実施形態では、上面板部３０及び下面板部３１を簡単且つ迅速に開放することができ、前述のように衣類収納器１０を折り畳む作業が一層容易になるという利点がある。
特に、本実施形態では、上面保持具１３及び下面保持具１４が共にアンカー部材４５，４７と、紐４６，４８とを備えており、作業者が紐４６，４８を操作するだけで、きわめて簡単に上面板部３０及び下面板部３１を形成し、また、開放することができる。
【００５４】
加えて、前述のように、下面板部３１の内側に補強板が嵌め込まれていてもよい。
このようにすれば、当該補強板により、下面板部３１の剛性が向上する。したがって、下面板部３１が従来のようにガムテープ等で固定されていなくても、十分な強度が確保されるという利点がある。しかも、単に補強板が下面板部３１に嵌め込まれているだけであるから、その着脱は、きわめて容易である。
【００５５】
次に、本実施形態の変形例について説明される。
図７は、本発明の第１の変形例に係る保持部材６０の要部拡大斜視図である。この保持部材６０は、上記保持部材１２に代えて使用されるものであり、同図が示すように、断面が略コ字状に形成されている。ただし、この保持部材６０は、開口側の端部６１が先端に向かって漸近しており、いわゆる鎹状に形成されている。
この保持部材６０が使用されるときは、保持部材６０の端部６１が本体１１の切込３４，３５の上方縁部及び下方縁部に差し込まれる。このとき、本体１１には、保持部材６０が挿通される挿通孔が設けられていてもよいが、直接保持部材６０が貫通されてもよい。
【００５６】
また、図８は、本実施形態の第２の変形例に係る保持部材７０の要部拡大斜視図である。
この保持部材７０も上記保持部材１２に代えて使用されるものであり、全体として略Ｔ字状に形成されている。具体的には、当接板部７１と、これに立設された突片７２とを備えている。本体７１には、固定ボルト７３が突設されている。この保持部材７０は、突片７２が上記本体１１の切込３４，３５に挿通され、当接板７１が本体１１に当接されると共に、固定ボルト７３が切込３４，３５の上方縁部及び下方縁部に挿通される。このとき、本体１１には、固定ボルトが挿通される挿通孔が設けられていてもよいが、直接保持部材７０が貫通されてもよい。
なお、本体１１に挿通孔が設けられ、当該挿通孔に固定ボルト７３が挿通される場合は、この固定ボルト７３に固定ナット７４を係合させるのが好ましい。また、固定ボルト７３と固定ナット７４とにより保持部材７０が締結される場合は、上記突片７２は無くすこともできる。
【００５７】
また、図９は、本実施形態の第３の変形例に係る保持部材８０の要部拡大斜視図である。
この保持部材８０も上記保持部材１２に代えて採用されるものである。
この固定部材８０は、本体１１の右側面板部１７の一部、具体的には、切込３４の下方部分を切り起こして形成されており、略Ｌ字状に形成されている。そして、切込３４の上方には、スリット８１が設けられている。
固定部材８０は、起立され、その先端部８２がスリット８１に挿通されることにより、切込３４の自由な開拡が規制されるようになっている。
なお、左側面板部１８についても同様に固定部材８０及びスリット８１が形成されている。
【００５８】
このように、各変形例に係る固定部材６０，７０，８０であっても、切込３４，３５の開拡を規制し、また、所要時には切込３４，３５の開拡を許容することができる。
【００５９】
【発明の効果】
以上のように本発明によれば、必要なときに衣類収納器の高さ寸法が小さくされるので、コート等の大きな衣類が収容される場合、また、セータ等のコンパクトな衣類が収容される場合とによって、衣類収納器は、そのサイズが変化されて使用される。したがって、たとえば、クリーニングサービスにおいて、クリーニングされた衣類を顧客に返却する際に、その衣類の大きさに応じて衣類収納器のサイズが変化されるので、コンパクトな衣類を宅配する際の費用が低減される。このことは、顧客が当該衣類収納器を使用して再度クリーニングサービスを受けるべき衣類を搬送する場合も同様である。
【００６０】
また、特に衣類収納器が折畳可能に構成されることにより、例えば、顧客が当該衣類収納器を自宅等で保管する際に、保管のための大きなスペースが不要であるという利点がある。
加えて、ガムテープを使用せずに当該衣類収納器が組み立てられるように構成されると、コンパクトに折り畳まれた衣類収納器を簡単且つ迅速に組み立てることができ、再度折り畳むことができるという利点がある。
【図面の簡単な説明】
【図１】図１は、本発明の一実施形態に係る衣類収納器の斜視図である。
【図２】図２は、本発明の一実施形態に係る衣類収納器の本体の斜視図である。
【図３】図３は、本発明の一実施形態に係る衣類収納器の本体の展開図である。
【図４】図４は、本発明の一実施形態に係る保持部材の斜視図である。
【図５】図５は、本発明の一実施形態に係るハンガー部材の正面図である。
【図６】図６は、本発明の一実施形態に係る衣類収納器が二つ折れ状態とされるときの作業要領を示した図である。
【図７】図７は、本実施形態の第１の変形例に係る保持部材の要部拡大斜視図である。
【図８】図８は、本実施形態の第２の変形例に係る保持部材の要部拡大斜視図である。
【図９】図９は、本実施形態の第３の変形例に係る保持部材の要部拡大斜視図である。
【符号の説明】
１０・・・衣類収納器
１１・・・本体
１２・・・保持部材
１４・・・下面支持具
１５・・・ハンガー部材
１６・・・前面板部
１７・・・右側面板部
１８・・・左側面板部
１９・・・背面板部
２２〜２５・・・上端部
２６〜２９・・・下端部
３０・・・上面板部
３１・・・下面板部
３４・・・切込
３５・・・切込
３７・・・折曲部
３８・・・折曲部
３９・・・折畳部
４０・・・折畳部
４３・・・開口
４４・・・開口
４５・・・アンカー部材
４６・・・紐
４７・・・アンカー部材
４８・・・紐
４９・・・挟持板
５０・・・挟持板
５１・・・連結板
６０・・・保持部材
７０・・・保持部材
８０・・・保持部材
【図１】
2004057351.tif 000003
【図２】
2004057351.tif 000004
【図３】
2004057351.tif 000005
【図４】
2004057351.tif 000006
【図５】
2004057351.tif 000007
【図６】
2004057351.tif 000008
【図７】
2004057351.tif 000009
【図８】
2004057351.tif 000010
【図９】
2004057351.tif 000011